(57)【要約】【課題】太陽電池と蓄電池とが組み合わされた電力管理システムにおいて、単位期間における蓄電池への充放電回数を低減して、蓄電池の劣化の進行を緩和させる。【解決手段】所定の地域範囲において１日に発電する発電電力を総合した総発電電力を予測する総発電電力予測部と１日の需要電力を総合した総需要電力との予測結果と、総発電電力の余剰分である総余剰電力と、所定の地域範囲内の複数の蓄電池の総蓄電可能容量の算出結果と、蓄電池パラメータとを利用して、複数の蓄電池のうちから、太陽電池用の蓄電池と深夜電力用の蓄電池とを選定する。そして、太陽電池用の蓄電池と深夜電力用の蓄電池とのそれぞれについて、制御対象期間における所定の期間ごとに充電と放電を実行させる。【選択図】図３
2014064449.tif 000002
【特許請求の範囲】
【請求項１】
所定の地域範囲において備えられる複数の太陽電池が現時刻以降における所定の制御対象期間において発電する発電電力を総合した総発電電力を予測する総発電電力予測部と、
前記所定の地域範囲において備えられる負荷についての前記制御対象期間における需要電力を総合した総需要電力を予測する総需要電力予測部と、
予測された前記総発電電力と予測された総需要電力とに基づいて前記総発電電力の余剰分である総余剰電力を算出する総余剰電力算出部と、
前記所定の地域範囲において備えられる複数の蓄電池の各々から蓄電可能容量を取得し、取得した蓄電可能容量を総合した総蓄電可能容量を算出する総蓄電可能容量算出部と、
前記複数の蓄電池ごとについての所定のパラメータを蓄電池パラメータとして記憶する蓄電池パラメータ記憶部と、
算出された総蓄電可能容量と算出された総余剰電力と前記蓄電池パラメータ記憶部から読み出した蓄電池パラメータとを利用して、前記複数の蓄電池のうちから、１以上の太陽電池用の蓄電池と１以上の深夜電力用の蓄電池とを選定する蓄電池選定部と、
前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御部と
を備える電力管理装置。
【請求項２】
前記蓄電池選定部は、
算出された総蓄電可能容量と算出された総余剰電力とに基づいて前記制御対象期間において蓄電池に蓄積すべき深夜電力蓄電量を算出し、算出された深夜電力蓄電量と前記蓄電池パラメータに基づいて前記深夜電力用の蓄電池を選定し、
前記総余剰電力と前記蓄電池パラメータに基づいて前記太陽電池用の蓄電池を選定する
請求項１に記載の電力管理装置。
【請求項３】
前記蓄電池選定部は、
前記蓄電池パラメータとして、蓄電池の蓄電可能容量と、蓄電池の充電率と、蓄電池の余寿命情報と、蓄電池の劣化進行情報のうちの１以上を利用する
請求項１または請求項２に記載の電力管理装置。
【請求項４】
所定の地域範囲において備えられる複数の太陽電池が現時刻以降における所定の制御対象期間において発電する発電電力を総合した総発電電力を予測する総発電電力予測ステップと、
前記所定の地域範囲において備えられる負荷についての前記制御対象期間における需要電力を総合した総需要電力を予測する総需要電力予測ステップと、
予測された前記総発電電力と予測された総需要電力とに基づいて前記総発電電力の余剰分である総余剰電力を算出する総余剰電力算出ステップと、
前記所定の地域範囲において備えられる複数の蓄電池の各々から蓄電可能容量を取得し、取得した蓄電可能容量を総合した総蓄電可能容量を算出する総蓄電可能容量算出ステップと、
算出された総蓄電可能容量と算出された総余剰電力と蓄電池パラメータ記憶部から読み出した前記複数の蓄電池ごとについての所定のパラメータである蓄電池パラメータとを利用して、前記複数の蓄電池のうちから、１以上の太陽電池用の蓄電池と１以上の深夜電力用の蓄電池とを選定する蓄電池選定ステップと、
前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御ステップと
を備える電力管理方法。
【請求項５】
コンピュータに、
所定の地域範囲において備えられる複数の太陽電池が現時刻以降における所定の制御対象期間において発電する発電電力を総合した総発電電力を予測する総発電電力予測ステップと、
前記所定の地域範囲において備えられる負荷についての前記制御対象期間における需要電力を総合した総需要電力を予測する総需要電力予測ステップと、
予測された前記総発電電力と予測された総需要電力とに基づいて前記総発電電力の余剰分である総余剰電力を算出する総余剰電力算出ステップと、
前記所定の地域範囲において備えられる複数の蓄電池の各々から蓄電可能容量を取得し、取得した蓄電可能容量を総合した総蓄電可能容量を算出する総蓄電可能容量算出ステップと、
算出された総蓄電可能容量と算出された総余剰電力と蓄電池パラメータ記憶部から読み出した前記複数の蓄電池ごとについての所定のパラメータである蓄電池パラメータとを利用して、前記複数の蓄電池のうちから、１以上の太陽電池用の蓄電池と１以上の深夜電力用の蓄電池とを選定する蓄電池選定ステップと、
前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御ステップと
を実行させるためのプログラム。
【発明の詳細な説明】
【技術分野】
【０００１】
本発明は、電力管理装置、電力管理方法及びプログラムに関する。
【背景技術】
【０００２】
近年、太陽光発電などの自然エネルギーを利用した発電装置と蓄電池とを備えた電力管理システムが知られるようになってきている。
このような電力管理システムにおける負荷制御装置として以下のようなものが知られている。つまり、この負荷制御装置は、太陽光発電装置の発電量と負荷量とを予測する。そして、負荷制御装置は、予測発電量と予測負荷量とにしたがって太陽光発電装置の発電量の余剰電力が少なくなるように機器の稼働スケジュールを算出するとともに、夜間において安価となる商用電源から蓄える電力量を算出する。そして、負荷制御装置は、これらの算出結果にしたがって、機器の稼働制御と蓄電装置の充電量制御を行うというものである(例えば、特許文献１参照)。
【先行技術文献】
【特許文献】
【０００３】
【特許文献１】特開２００７−２９５６８０号公報
【発明の概要】
【発明が解決しようとする課題】
【０００４】
上記の構成では、例えば１日(２４時間)としての単位期間において、まず、深夜の時間帯において商用電源の充電が蓄電池に対して行われ、次いで、例えば朝の時間帯において、この充電により蓄積された電力を負荷に供給するための放電が行われる。また、これに次ぐ日中においては、太陽光発電装置により発電された電力の充電が蓄電池に対して行われ、次いで、例えば夜の時間帯において、この充電により蓄積された電力を負荷に供給するための放電が行われる。つまり、この構成における蓄電池は、１日において、充放電のサイクルを２回繰り返す。
【０００５】
蓄電池は、充放電が行われるごとに劣化が進行してその寿命が短縮することが知られている。したがって、特許文献１の構成における蓄電池のように、１日において２回の充放電が行われるということは、例えば１日において１回の充放電が行われる場合と比較すれば、その充放電回数は２倍であり、蓄電池の寿命もほぼ１／２にまで短縮されてしまうことになる。
【０００６】
本発明は、このような事情に鑑みてなされたもので、太陽電池と蓄電池とが組み合わされた電力管理システムにおいて、単位期間における蓄電池への充放電回数を低減して、蓄電池の劣化の進行を緩和させることを目的とする。
【課題を解決するための手段】
【０００７】
上述した課題を解決するために、本発明の一態様としての電力管理装置は、所定の地域範囲において備えられる複数の太陽電池が現時刻以降における所定の制御対象期間において発電する発電電力を総合した総発電電力を予測する総発電電力予測部と、前記所定の地域範囲において備えられる負荷についての前記制御対象期間における需要電力を総合した総需要電力を予測する総需要電力予測部と、予測された前記総発電電力と予測された総需要電力とに基づいて前記総発電電力の余剰分である総余剰電力を算出する総余剰電力算出部と、前記所定の地域範囲において備えられる複数の蓄電池の各々から蓄電可能容量を取得し、取得した蓄電可能容量を総合した総蓄電可能容量を算出する総蓄電可能容量算出部と、前記複数の蓄電池ごとについての所定のパラメータを蓄電池パラメータとして記憶する蓄電池パラメータ記憶部と、算出された総蓄電可能容量と算出された総余剰電力と前記蓄電池パラメータ記憶部から読み出した蓄電池パラメータとを利用して、前記複数の蓄電池のうちから、１以上の太陽電池用の蓄電池と１以上の深夜電力用の蓄電池とを選定する蓄電池選定部と、前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御部とを備える。
【０００８】
また、本発明の電力管理装置において、前記蓄電池選定部は、算出された総蓄電可能容量と算出された総余剰電力とに基づいて前記制御対象期間において蓄電池に蓄積すべき深夜電力蓄電量を算出し、算出された深夜電力蓄電量と前記蓄電池パラメータに基づいて前記深夜電力用の蓄電池を選定し、前記総余剰電力と前記蓄電池パラメータに基づいて前記太陽電池用の蓄電池を選定してもよい。
【０００９】
また、本発明の電力管理装置において、前記蓄電池選定部は、前記蓄電池パラメータとして、蓄電池の蓄電可能容量と、蓄電池の充電率と、蓄電池の余寿命情報と、蓄電池の劣化進行情報のうちの１以上を利用してもよい。
【００１０】
また、本発明の一態様としての電力管理方法は、所定の地域範囲において備えられる複数の太陽電池が現時刻以降における所定の制御対象期間において発電する発電電力を総合した総発電電力を予測する総発電電力予測ステップと、前記所定の地域範囲において備えられる負荷についての前記制御対象期間における需要電力を総合した総需要電力を予測する総需要電力予測ステップと、予測された前記総発電電力と予測された総需要電力とに基づいて前記総発電電力の余剰分である総余剰電力を算出する総余剰電力算出ステップと、前記所定の地域範囲において備えられる複数の蓄電池の各々から蓄電可能容量を取得し、取得した蓄電可能容量を総合した総蓄電可能容量を算出する総蓄電可能容量算出ステップと、算出された総蓄電可能容量と算出された総余剰電力と蓄電池パラメータ記憶部から読み出した前記複数の蓄電池ごとについての所定のパラメータである蓄電池パラメータとを利用して、前記複数の蓄電池のうちから、１以上の太陽電池用の蓄電池と１以上の深夜電力用の蓄電池とを選定する蓄電池選定ステップと、前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御ステップとを備える。
【００１１】
また、本発明の一態様としてのプログラムは、コンピュータに、所定の地域範囲において備えられる複数の太陽電池が現時刻以降における所定の制御対象期間において発電する発電電力を総合した総発電電力を予測する総発電電力予測ステップと、前記所定の地域範囲において備えられる負荷についての前記制御対象期間における需要電力を総合した総需要電力を予測する総需要電力予測ステップと、予測された前記総発電電力と予測された総需要電力とに基づいて前記総発電電力の余剰分である総余剰電力を算出する総余剰電力算出ステップと、前記所定の地域範囲において備えられる複数の蓄電池の各々から蓄電可能容量を取得し、取得した蓄電可能容量を総合した総蓄電可能容量を算出する総蓄電可能容量算出ステップと、算出された総蓄電可能容量と算出された総余剰電力と蓄電池パラメータ記憶部から読み出した前記複数の蓄電池ごとについての所定のパラメータである蓄電池パラメータとを利用して、前記複数の蓄電池のうちから、１以上の太陽電池用の蓄電池と１以上の深夜電力用の蓄電池とを選定する蓄電池選定ステップと、前記制御対象期間における第１の期間において前記深夜電力用の蓄電池に対する商用電源の電力を充電させ、前記制御対象期間における第２の期間において前記深夜電力用の蓄電池に蓄積された電力を放電させ、前記制御対象期間における第３の期間において前記太陽電池用の蓄電池に対する商用電源の電力を充電させ、前記制御対象期間における第４の期間において前記太陽電池用の蓄電池に蓄積された電力を放電させるように制御する蓄電池制御ステップとを実行させるためのものである。
【発明の効果】
【００１２】
以上説明したように、本発明によれば、太陽電池と蓄電池とが組み合わされた電力管理システムにおいて、単位期間における蓄電池への充放電回数が低減され、蓄電池の劣化の進行を緩和させることができるという効果が得られる。
【図面の簡単な説明】
【００１３】
【図１】本実施形態における電力管理システムの構成例を示す図である。
【図２】電力管理地域における個々の蓄電池について、深夜電力の充放電と太陽電池の発電電力の充放電とを行わせた場合の蓄電池の充放電制御の例を示す図である。
【図３】本実施形態における電力管理装置の構成例を示す図である。
【図４】本実施形態における蓄電池パラメータのテーブルの例を示す図である。
【図５】本実施形態における深夜電力用の蓄電池についての充放電制御の例を示す図である。
【図６】本実施形態における太陽電池用の蓄電池についての充放電制御の例を示す図である。
【図７】個々の蓄電池について深夜電力の充放電と太陽電池の発電電力の充放電とを行わせた場合と、本実施形態の場合とで、蓄電池の劣化の進行を比較して示す図である。
【図８】本実施形態における電力管理装置が蓄電池の選定のために実行する処理手順例を示す図である。
【図９】本実施形態における電力管理装置が深夜電力用の蓄電池の充放電制御のために実行する処理手順例を示す図である。
【図１０】本実施形態における電力管理装置が太陽電池用の蓄電池の充放電制御のために実行する処理手順例を示す図である。
【発明を実施するための形態】
【００１４】
［電力管理システムの全体構成例］
図１は、本発明の実施形態における電力管理システムの全体構成例を示している。本実施形態における電力管理システムは、例えば、所定の地域範囲における複数の需要家に対応する住宅、商業施設、産業施設などの需要家施設における電力を一括して管理するものである。このような電力管理システムは、例えばＴＥＭＳ（Town Energy Management System）やＣＥＭＳ（Community Energy Management System）などといわれるものに対応する。
【００１５】
本実施形態の電力管理システムは、図１において電力管理地域１として示す所定の地域範囲における需要家施設１０ごとの電気設備を対象として電力管理を行う。需要家施設１０は、例えば、住宅、商業施設、あるいは産業施設などに該当する。これらの需要家施設１０には、それぞれ商用電源２が分岐して供給される。
【００１６】
１つの需要家施設１０は、例えば太陽電池１０１、パワーコンディショナ１０２、蓄電池１０３、インバータ１０４、電力経路切替部１０５、負荷１０６及び施設別制御部１０７を備える。
【００１７】
太陽電池１０１は、光起電力効果により光エネルギーを電力に変換する電力発生装置(太陽光発電装置)である。太陽電池１０１は、例えば需要家施設１０の屋根などのように太陽光を効率的に受けられる場所に設置されることで、太陽光を電力に変換する。
【００１８】
パワーコンディショナ１０２は、太陽電池１０１から出力される直流の電力を交流に変換する。
【００１９】
蓄電池１０３は、充電のために入力される電力を蓄積し、また、蓄積した電力を放電して出力する。この蓄電池１０３には、例えばリチウムイオン電池などを採用することができる。
【００２０】
インバータ１０４は、複数の蓄電池１０３ごとに対応して備えられるもので、蓄電池１０３に充電するための電力の交流直流変換または蓄電池１０３から放電により出力される電力の直流交流変換を行う。つまり、蓄電池１０３が入出力する電力の双方向変換を行う。
具体的に、蓄電池１０３に対する充電時には、商用電源２またはパワーコンディショナ１０２から電力経路切替部１０５を介して充電のための交流の電力がインバータ１０４に供給される。インバータ１０４は、このように供給される交流の電力を直流に変換し、蓄電池１０３に供給する。
また、蓄電池１０３の放電時には、蓄電池１０３から直流の電力が出力される。インバータ１０４は、このように蓄電池１０３から出力される直流の電力を交流に変換して電力経路切替部１０５に供給する。
【００２１】
電力経路切替部１０５は、施設別制御部１０７の制御に応じて電力経路の切り替え行う。この際、施設別制御部１０７は、電力管理装置２００の指示に応じて、電力経路切替部１０５を制御することができる。
上記の制御に応じて、電力経路切替部１０５は、同じ需要家施設１０において、商用電源２を負荷１０６に供給するように電力経路を形成することができる。
【００２２】
また、電力経路切替部１０５は、同じ需要家施設１０において、太陽電池１０１により発生された電力をパワーコンディショナ１０２から負荷１０６に供給するように電力経路を形成することができる。
また、電力経路切替部１０５は、同じ需要家施設１０において、商用電源２と太陽電池１０１の一方または両方から供給される電力をインバータ１０４経由で蓄電池１０３に充電するように電力経路を形成することができる。
また、電力経路切替部１０５は、同じ需要家施設１０において、蓄電池１０３から放電により出力させた電力を、インバータ１０４経由で負荷１０６に供給するように電力経路を形成することができる。
【００２３】
さらに、電力経路切替部１０５は、太陽電池１０１により発生された電力を、例えば商用電源２の電力系統を経由して、他の需要家施設１０における蓄電池１０３に対して供給するように電力経路を形成することができる。
また、電力経路切替部１０５は、蓄電池１０３の放電により出力される電力を、他の需要家施設１０における負荷１０６に供給するように電力経路を形成することができる。
【００２４】
負荷１０６は、需要家施設１０において自己が動作するために電力を消費する機器や設備などを一括して示したものである。
【００２５】
施設別制御部１０７は、需要家施設１０における電気設備（太陽電池１０１、パワーコンディショナ１０２、蓄電池１０３、インバータ１０４、電力経路切替部１０５、負荷１０６のすべてまたは一部）を制御する。
【００２６】
電力管理装置２００は、電力管理地域１に属する需要家施設１０全体における電気設備を対象として電力制御を実行する。このために、図１における電力管理装置２００は、需要家施設１０における施設別制御部１０７の各々と相互通信可能なように接続される。これにより、電力管理装置２００は、施設別制御部１０７に対する制御によって、その施設別制御部１０７の管理下にある電気設備を制御することができる。
【００２７】
なお、例えば施設別制御部１０７を省略して、電力管理装置２００が各需要家施設１０における電気設備などを直接制御するようにしてもよい。しかし、本実施形態では、電力管理装置２００と施設別制御部１０７とを備えて、電力管理地域１全体と需要家施設１０とで制御を階層化することにより、電力管理装置２００の制御の複雑化を回避している。
【００２８】
このように、本実施形態においては、電力管理地域１において複数の太陽電池１０１と複数の蓄電池１０３が備えられる。
ただし、電力管理地域１内の需要家施設１０のうちの一部において、例えば太陽電池１０１や、蓄電池１０３及びインバータ１０４を備えないものがあってもよい。また、電力管理地域１において備えられる太陽電池１０１の数と蓄電池１０３の数は同じである必要はなく、異なっていてもかまわない。
【００２９】
本実施形態における蓄電池１０３は、需要家施設１０において備え付けられる設備ではあるが、需要家施設１０ごとに個別に使用されるものではない。本実施形態の電力管理システムにおいては、蓄電池１０３に蓄電された電力を、電力管理地域１における他の需要家施設１０の負荷１０６に対しても供給することができる。つまり、蓄電池１０３の蓄積電力は、電力管理地域１における需要家施設１０の負荷１０６の間で相互に融通するように利用される。
【００３０】
また、例えば日中における天候が良好なときには、電力管理地域１における負荷１０６が必要とする電力よりも太陽電池１０１による発電電力が大きくなることがある。このときには、電力管理地域１における太陽電池１０１の発電電力が余剰となる。本実施形態においては、このような太陽電池１０１の余剰電力を蓄電池１０３に蓄積する。また、蓄電池１０３に対して太陽電池１０１の余剰電力を充電するにあたっては、同じ需要家施設１０における太陽電池１０１の発電電力だけではなく、他の需要家施設１０における太陽電池１０１の発電電力によっても充電することができる。
そして、例えば、太陽電池１０１により電力を発生させることのできない夜間において、太陽電池１０１の余剰電力により蓄電池１０３に蓄積された電力が電力管理地域１における需要家施設１０の負荷１０６に供給される。このように、本実施形態の電力管理システムは、太陽電池１０１と蓄電池１０３の利用による電力の地産地消を、電力管理地域１の規模で行う。
【００３１】
また、本実施形態の電力管理システムは、電力需要が少ない深夜時間帯（例えば２３時から翌日の７時くらいまで）において商用電源２から供給される電力(深夜電力)を蓄電池１０３に対して蓄積する。そして、例えば朝となって電力需要が増加する朝時間帯において、深夜において蓄電池１０３に蓄積した深夜電力を、電力管理地域１における負荷１０６に供給する。このように、本実施形態の電力管理システムは、深夜電力の利用による電力負荷平準化についても電力管理地域１の規模で行う。
【００３２】
上記のように蓄電池１０３を利用するにあたり、電力管理地域１における個々の蓄電池１０３について、太陽電池１０１の発電電力の蓄積(充電)及びその蓄積された電力の負荷１０６への供給(放電)と、深夜電力の蓄積(充電)及びその蓄積された電力の負荷１０６への供給(放電)を行わせるとする。
この場合、一日における１つの蓄電池１０３の充放電サイクル(充電とこれに続く放電)は図２のようになる。つまり、蓄電池１０３は、深夜時間帯において深夜電力による充電が行われ、次に、朝時間帯において深夜電力の充電により蓄積された電力を負荷１０６に供給するための放電が行われる。次に蓄電池１０３は、昼時間帯において太陽電池１０１により発生された電力が充電され、次に、夜時間帯において、蓄積されている電力を負荷１０６に供給するための放電が行われる。
この場合の蓄電池１０３は、一日における充放電サイクルが２回となる。蓄電池１０３は、充放電が行われるごとに性能が劣化していき、その寿命を縮めてしまう。なお、このような蓄電池１０３の性能の劣化は、例えば満充電時における蓄電容量の低下として現れる。満充電時における蓄電容量が新品時に対して一定以下の比率となったときが、その蓄電池１０３の寿命が無くなるときである。
【００３３】
このような蓄電池１０３の劣化の進行を緩和するには、例えば、電力管理地域１において、太陽電池１０１の余剰電力の蓄積と深夜電力の蓄積のいずれかを蓄電池１０３に対して行わないようにすることが考えられる。しかし、太陽電池１０１の余剰電力の蓄積を行わなければ、電力の地産地消が実現されなくなり、また、深夜電力の蓄積を行わなければ電力負荷平準化を推し進めることができなくなる。
【００３４】
そこで、本実施形態の電力管理システムでは、電力管理地域１における複数の蓄電池１０３のうちから、太陽電池用の蓄電池１０３と、深夜電力用の蓄電池１０３とをそれぞれ個別に選定する。この選定は、例えば１日(２４時間)ごとに行われる。
そして、太陽電池用として選定された蓄電池１０３については、１日において、太陽電池１０１の余剰電力の蓄積とその蓄積された電力の負荷１０６への供給のみに利用する。
また、深夜電力用として選定された蓄電池１０３については、１日において、深夜電力の蓄積とその蓄積された電力の負荷１０６への供給のみに利用するというものである。
【００３５】
［電力管理装置の構成例］
図３は、電力管理装置２００の構成例を示している。この図に示す構成は、電力管理装置２００が電力管理地域１における蓄電池１０３のうちから太陽電池用と深夜電力用とを選定し、選定した蓄電池１０３に対する電力の蓄積（充電）と蓄積された電力の負荷１０６への供給（放電）を制御するためのものである。
【００３６】
図３に示す電力管理装置２００は、総発電電力予測部２０１、総発電電力予測利用情報記憶部２０２、総需要電力予測部２０３、総需要電力予測利用情報記憶部２０４、総余剰電力算出部２０５、総蓄電可能容量算出部２０６、蓄電池選定部２０７、蓄電池パラメータ記憶部２０８、蓄電池パラメータ取得部２０９、蓄電池制御部２１０及び通信部２１１を備える。
【００３７】
総発電電力予測部２０１は、総発電電力を予測する。総発電電力は、電力管理地域１において備えられる複数の太陽電池１０１が現時刻以降における所定の制御対象期間において発電する発電電力を総合したものである。また、ここでの制御対象期間は、例えば、次の１日（２４時間）であり、その１日は、図２に示した深夜時間帯の開始時刻から開始され、夜時間帯の終了時刻にて終了する。
また、総発電電力予測部２０１は、総発電電力を予測するにあたり、総発電電力予測利用情報記憶部２０２に記憶される総発電電力予測利用情報を利用する。総発電電力予測利用情報は、例えば制御対象期間としての１日分の天気予報の情報、電力管理地域１において備えられる太陽電池１０１ごとの発電に関する仕様の情報、及び、これまでの１日ごとの総発電電力の実績を示す情報などである。
【００３８】
例えば、総発電電力予測部２０１は、総発電電力予測利用情報を利用して電力管理地域１において備えられる太陽電池１０１ごとの制御対象期間における発電電力を予測する。
次に、総発電電力予測部２０１は、予測した太陽電池１０１ごとの発電電力を加算した値を総発電電力の予測結果として出力する。
【００３９】
総需要電力予測部２０３は、電力管理地域１において備えられる負荷（電力管理地域１におけるすべての負荷１０６）についての制御対象期間における需要電力を総合した総需要電力を予測する。
総需要電力予測部２０３は、総需要電力を予測するにあたり、総需要電力予測利用情報記憶部２０４に記憶される総需要電力予測利用情報を利用する。総需要電力予測利用情報は、例えば制御対象期間としての１日分の天気予報の情報、電力管理地域１における負荷１０６ごとの電力消費に関連する仕様の情報、これまでの１日ごとの総需要電力の実績を示す情報などである。
【００４０】
例えば、総需要電力予測部２０３は、総需要電力予測利用情報を利用して電力管理地域１において備えられる負荷１０６ごとの制御対象期間における使用電力を予測する。次に、総需要電力予測部２０３は、予測した負荷１０６ごとの使用電力を加算した値を総需要電力の予測結果として出力する。
【００４１】
総余剰電力算出部２０５は、総発電電力予測部２０１により予測された総発電電力と総需要電力予測部２０３により予測された総需要電力とに基づいて、総発電電力の余剰分である総余剰電力を算出する。総余剰電力は、総発電電力のうちで電力管理地域１におけるすべての負荷１０６によって消費されずに余る電力である。
総余剰電力算出部２０５は、例えば、総発電電力から総需要電力を減算することにより総余剰電力を算出する。なお、総発電電力のほうが総需要電力よりも小さくなる場合には、総余剰電力算出部２０５は、負の値の総余剰電力を求めればよい。負の値の総余剰電力は、総需要電力に対して総発電電力が不足していることを示す。
【００４２】
総蓄電可能容量算出部２０６は、電力管理地域１において備えられる複数の蓄電池１０３の各々の蓄電可能容量を取得し、取得した蓄電可能容量を総合した総蓄電可能容量を算出する。
蓄電池１０３の蓄電可能容量とは、現在の蓄電量の状態のもとで蓄電池１０３が満充電となるまでさらに蓄積させることが可能な電力量であり、例えば蓄電池１０３が満充電のときの蓄電量から、蓄電池１０３に蓄積されている電力量を減算することにより求められる。総蓄電可能容量は、電力管理地域１における複数の蓄電池１０３ごとの蓄電可能容量を加算したものである。
【００４３】
総蓄電可能容量算出部２０６は、複数の蓄電池１０３の各々から蓄電可能容量を取得するにあたり、蓄電池１０３を備える需要家施設１０の施設別制御部１０７に対して、蓄電池１０３の蓄電可能容量の通知要求を送信する。
この通知を受信した施設別制御部１０７は、同じ施設別制御部１０７において備えられる蓄電池１０３の蓄電可能容量を算出し、算出した蓄電可能容量を電力管理装置２００に対して送信する。総蓄電可能容量算出部２０６は、通信部２１１にて受信された蓄電池１０３ごとの蓄電可能容量を取得し、取得した蓄電可能容量を加算することにより総蓄電可能容量を算出する。
【００４４】
蓄電池選定部２０７は、電力管理地域１における複数の蓄電池１０３のうちから太陽電池用の蓄電池１０３と深夜電力用の蓄電池１０３とを選定する。
このために、蓄電池選定部２０７は、総蓄電可能容量算出部２０６により算出された総蓄電可能容量と、総余剰電力算出部２０５により算出された総余剰電力と、蓄電池パラメータ記憶部２０８から読み出した蓄電池パラメータとを利用する。
【００４５】
蓄電池パラメータ記憶部２０８は、電力管理地域１において備えられる複数の蓄電池１０３ごとについての所定のパラメータを蓄電池パラメータとして記憶する。
蓄電池パラメータ記憶部２０８は、例えば図４に示すように、テーブル形式により蓄電池パラメータを記憶する。このテーブルは、蓄電池１０３を一意に識別する蓄電池ＩＤごとに、対応の蓄電池１０３についての蓄電池パラメータの値を格納した構造を有する。
【００４６】
蓄電池選定部２０７は、例えば、以下のように深夜電力用の蓄電池１０３を選定する。
蓄電池選定部２０７は、蓄電池１０３の選定を行うにあたり、まず、総蓄電可能容量と総余剰電力とを利用して深夜電力蓄電量を算出する。
深夜電力蓄電量とは、制御対象期間において電力管理地域１における蓄電池１０３に蓄積すべき深夜電力の総量である。例えば、予測される総余剰電力が多いほど日中における太陽電池１０１の余剰電力によって蓄電池１０３に蓄積できる電力量も多くなるので、深夜電力蓄電量は少なくてよい。逆に、予測される総余剰電力が小さくなるほど、日中に発生する余剰電力によって蓄電池１０３に蓄積できる電力量は少なくなるため、深夜電力蓄電量を多くすることができる。
最も簡単な具体例の１つとして、蓄電池選定部２０７は、総蓄電可能容量から総余剰電力を減算することにより深夜電力蓄電量を算出することができる。
【００４７】
次に、蓄電池選定部２０７は、算出した深夜電力蓄電量と蓄電池パラメータとに基づいて深夜電力用の蓄電池１０３を選定する。ここでの説明にあたり、蓄電池パラメータは、蓄電池１０３の蓄電可能容量であるものとする。
【００４８】
蓄電池選定部２０７は、電力管理地域１における複数の蓄電池１０３のうちから、蓄電可能容量が大きいものから順に深夜電力用の蓄電池１０３として選定する。そして、深夜電力用として選定された蓄電池１０３の蓄電可能容量の総量が深夜電力蓄電量以上となった段階で、選定を終了するというものである。
【００４９】
このように蓄電可能容量が大きい蓄電池１０３から優先的に選定していくことで、できる限り少ない数の蓄電池１０３によって深夜電力を蓄電することができる。これにより、単位期間内での電力管理地域１における蓄電池１０３の充放電回数を抑えることができる。
なお、総余剰電力が総蓄電可能容量以上である場合には、深夜電力蓄電量が「０」または負の数となる。この場合には、深夜電力に依存しなくとも、予測される総余剰電力により総蓄電可能容量分の電力を蓄電池１０３に蓄積できるということが推測される。
そこで、この場合においては、深夜電力用の蓄電池１０３を選定しないようにして、深夜電力の蓄積を行わないようにしてもよい。ただし、この場合には、例えば朝の時間帯において蓄電池１０３から負荷１０６に十分な電力を安定して供給することが難しくなる場合がある。そこで、深夜電力用の蓄電池１０３を選定する際の最低限度数を予め定めておき、深夜電力蓄電量が「０」または負の数であった場合には、最低限度数による深夜電力用の蓄電池１０３を蓄電可能容量が大きいものから順に選定する処理としてもよい。
【００５０】
次に、蓄電池選定部２０７は、例えば以下のように太陽電池用の蓄電池１０３を選定する。つまり、蓄電池選定部２０７は、深夜電力用として選定されたもの以外の蓄電池１０３のうちから、例えば蓄電可能容量が大きい順に太陽電池用としての蓄電池１０３を選定していく。そして、太陽電池用として選定された蓄電池１０３の蓄電可能容量の総量が総余剰電力以上となった段階で選定を終了する。なお、総余剰電力が総蓄電可能容量以上である場合には、総余剰電力に総蓄電可能容量の値を代入したうえで、太陽電池用として選定された蓄電池１０３の蓄電可能容量の総量が代入後の総余剰電力以上となった段階で選定を終了すればよい。
【００５１】
なお、上記の例では、深夜電力用の蓄電池１０３を選定した後に太陽電池用の蓄電池１０３を選定しているが、これとは逆に太陽電池用の蓄電池１０３を選定した後に深夜電力用の蓄電池１０３を選定してもよい。深夜電力用の蓄電池１０３と太陽電池用の蓄電池１０３のいずれを先に選定するのかについては、例えば、各種の条件などにしたがい、深夜電力の利用と太陽電池の発電電力の利用とでどちらを優先させるべきか判断した結果に基づけばよい。
また、例えば、総蓄電可能容量と総余剰電力との比率などに応じて、深夜電力用の蓄電池１０３の選定と太陽電池用の蓄電池１０３の選定の順序を変更するようにしてもよい。
さらには、例えば深夜電力用（あるいは太陽電池用）の蓄電池１０３を１つ選定した後に、太陽電池用（あるいは深夜電力用）の蓄電池１０３を１つ選定し、この手順を繰り返すというように、交互に選定していくようにしてもよい。
【００５２】
蓄電池パラメータ取得部２０９は、蓄電池ごとの蓄電池パラメータを取得する。このために、蓄電池パラメータ取得部２０９は、通信部２１１経由で、蓄電池１０３を備える需要家施設１０の施設別制御部１０７に対して蓄電池パラメータを要求するための通信を実行する。
この要求を受信した施設別制御部１０７は、同じ需要家施設１０において設置されている蓄電池１０３の蓄電池パラメータを取得する。例えば、蓄電池パラメータが蓄電可能容量である場合、施設別制御部１０７は、例えば蓄電池１０３からステイタス情報としての蓄電可能容量を取得する。そして、施設別制御部１０７は、取得した蓄電池パラメータを電力管理装置２００に送信する。このように送信された蓄電池パラメータは、通信部２１１にて受信される。蓄電池パラメータ取得部２０９は、通信部２１１にて受信された蓄電池パラメータを、対応の蓄電池１０３の蓄電池ＩＤに対応付けてテーブルに格納する。
【００５３】
蓄電池制御部２１０は、蓄電池選定部２０７により選定された太陽電池用の蓄電池１０３についての充電及び放電と、同じく蓄電池選定部２０７により選定された深夜電力用の蓄電池１０３についての充電及び放電とを制御対象期間において制御する。
つまり、蓄電池制御部２１０は、制御対象期間における第１の期間(深夜時間帯)において深夜電力用の蓄電池１０３に対する商用電源の電力を充電させるように制御する。
また、蓄電池制御部２１０は、制御対象期間における第２の期間(朝時間帯)において深夜電力用の蓄電池に蓄積された電力を放電させるように制御する。
また、蓄電池制御部２１０は、制御対象期間における第３の期間(昼時間帯)において太陽電池用の蓄電池１０３に対する商用電源の電力を充電させるように制御する。
また、蓄電池制御部２１０は、制御対象期間における第４の期間(夜時間帯)において太陽電池用の蓄電池に蓄積された電力を放電させるように制御する。
【００５４】
この制御にあたり、蓄電池制御部２１０は、まず、深夜電力用として選定された蓄電池１０３を備える需要家施設１０の施設別制御部１０７に対して、深夜時間帯における商用電源２の電力の充電を指示する。この指示に応じて、施設別制御部１０７は、同じ需要家施設１０に備えられる蓄電池１０３に対して、深夜時間帯において商用電源２の電力が充電されるように制御する。
【００５５】
また、蓄電池制御部２１０は、深夜電力用として選定された蓄電池１０３を備える需要家施設１０の施設別制御部１０７に対して、朝時間帯における蓄電池１０３による電力供給を指示する。この指示に応じて、施設別制御部１０７は、同じ需要家施設１０に備えられる深夜電力用の蓄電池１０３に蓄積されている電力を、朝時間帯において放電させて電力管理地域１内の負荷１０６に供給するように制御する。
【００５６】
また、蓄電池制御部２１０は、深夜電力用として選定された蓄電池１０３を備える需要家施設１０の施設別制御部１０７に対して、昼時間帯と夜時間帯における蓄電池１０３の動作の停止を指示する。この指示に応じて、施設別制御部１０７は、同じ需要家施設１０に備えられる深夜電力用の蓄電池１０３の充放電動作を、昼時間帯と夜時間帯において停止させる。
なお、例えば負荷１０６が必要とする電力などの状況に応じては、施設別制御部１０７は、同じ需要家施設１０に備えられる深夜電力用の蓄電池１０３を朝時間帯から引き続けて昼時間帯以降においても放電させるようにしてもよい。
【００５７】
また、蓄電池制御部２１０は、太陽電池用として選定された蓄電池１０３を備える需要家施設１０の施設別制御部１０７に対して、昼時間帯において太陽電池１０１により発電された電力の充電を指示する。この指示に応じて、施設別制御部１０７は、同じ需要家施設１０に備えられる蓄電池１０３に対して、昼時間帯において電力管理地域１内の太陽電池１０１により発電された電力が充電されるように制御する。
【００５８】
また、蓄電池制御部２１０は、太陽電池用として選定された蓄電池１０３を備える需要家施設１０の施設別制御部１０７に対して、夜時間帯における蓄電池１０３による電力供給を指示する。この指示に応じて、施設別制御部１０７は、同じ需要家施設１０に備えられる太陽電池用の蓄電池１０３に蓄積されている電力を、夜時間帯において放電させて電力管理地域１内の負荷１０６に供給させるように制御する。
【００５９】
また、蓄電池制御部２１０は、太陽電池用として選定された蓄電池１０３を備える需要家施設１０の施設別制御部１０７に対して、深夜時間帯と朝時間帯における蓄電池１０３の動作の停止を指示する。この指示に応じて、施設別制御部１０７は、同じ需要家施設１０に備えられる太陽電池用の蓄電池１０３の充放電動作を深夜時間帯と朝時間帯において停止させる。
なお、例えば負荷１０６が必要とする電力などの状況に応じては、施設別制御部１０７は、同じ需要家施設１０に備えられる値用電池用の蓄電池１０３を前の夜時間帯から引き続けて深夜時間帯以降においても放電させるようにしてもよい。
【００６０】
なお、深夜時間帯は、例えば、電力管理地域１において負荷１０６全体の電力使用量が一定以下に減少する時間帯の実績などを考慮して予め設定しておくようにしてもよいし、電気料金が深夜料金となる開始時刻に応じて開始させてもよい。
また、朝時間帯の開始時刻と終了時刻の各々は、例えば、深夜時間帯の終了時刻と、昼時間帯の開始時刻に応じて設定されればよい。
また、昼時間帯の開始時刻は予め設定しておいてもよい。あるいは、昼時間帯は、太陽が昇って日差しが強くなっていくのに応じて電力管理地域１における太陽電池１０１の発電量が増加し、現実の総余剰電力が生じたタイミングで開始されるように蓄電池制御部２１０が制御してもよい。
この夜時間帯の開始時刻は、予め設定しておくこととしてもよい。あるいは、この夜時間帯は、例えば、太陽の日差しが弱くなっていくのに応じて電力管理地域１における太陽電池１０１の発電量が減少し、現実の総余剰電力が生じなくなったタイミングで開始されるように蓄電池制御部２１０が制御してもよい。
【００６１】
［蓄電池の充放電動作のパターン例］
図５は、上記した蓄電池制御部２１０の制御に応じて深夜電力用の蓄電池１０３が制御対象期間(１日)において行う充放電パターンを示している。
この図によれば、深夜電力用の蓄電池１０３は、まず、深夜時間帯において商用電源２の電力(深夜電力)を充電する。
また、朝時間帯において、深夜電力用の蓄電池１０３は、自己において蓄積された電力を電力管理地域１における負荷１０６に供給するための放電を行う。
次に、深夜電力用の蓄電池１０３は、続く昼時間帯と夜時間帯にかけて、その充放電の動作を停止する。
【００６２】
図６は、上記した蓄電池制御部２１０の制御に応じて太陽電池力用の蓄電池１０３が制御対象期間(１日)において行う充放電パターンを示している。
この図によれば、太陽電池用の蓄電池１０３は、１日における深夜時間帯と朝時間帯にかけては、その充放電の動作を停止する。
次に、昼時間帯において、太陽電池用の蓄電池１０３は、電力管理地域１における太陽電池１０１の発電電力を充電する。
次に、夜時間帯において、太陽電池用の蓄電池１０３は、自己に蓄積された電力を電力管理地域１における負荷１０６に供給するための放電を行う。
【００６３】
図５によれば、１日における深夜電力用の蓄電池１０３の充放電サイクルは１回である。同様に、図６によれば、１日における太陽電池用の蓄電池１０３の充放電サイクルも１回である。
本実施形態では、電力管理地域１における蓄電池１０３を利用して太陽電池１０１の発電電力の蓄積及びその蓄積された電力の負荷１０６への供給と、深夜電力の蓄積及びその蓄積された電力の負荷１０６への供給を行うことが可能とされている。そのうえで、このために使用される蓄電池１０３の充放電サイクルは、１日につき１回となる。これに対して、図２の場合における充放電サイクルは、１日につき２回である。この図２と比較した場合、本実施形態では、単位時間における充放電サイクルの回数（充放電回数）が１／２に低減される。これにより、電力管理地域１において備えられる蓄電池１０３の劣化の進行が緩和され、長寿命化が図られる。
【００６４】
図７は、本実施形態における蓄電池１０３の劣化の進行と、図２に示したように蓄電池１０３を使用した場合の劣化の進行とを比較して示す図である。図７において、縦軸は満充電時における蓄電容量であり、横軸は使用時間である。また、本実施形態における蓄電池１０３の劣化の進行を実線ｆ１により示し、図２に示した使用による蓄電池１０３の劣化の進行を破線ｆ２により示す。また、蓄電容量における新品時レベルは、新品の蓄電池１０３が有する蓄電容量の値を示し、蓄電容量における交換レベルは、蓄電池１０３の寿命が尽きたとして交換が必要となる蓄電容量の値を示す。
【００６５】
実線ｆ１と破線ｆ２とを比較して分かるように、本実施形態における蓄電池１０３と図２に示した使用による蓄電池１０３とでは、新品時における蓄電容量(新品時レベル)は同等である。しかし、使用時間の経過に応じて蓄電容量が低下する度合いは、図２に示した使用による蓄電池１０３よりも実施形態における蓄電池１０３のほうが小さい。これにより、例えば、蓄電容量が新品時レベルから交換レベルにまで減少する期間は、本実施形態における蓄電池１０３では、図２のように使用される蓄電池１０３の２倍程度にまで延長される。これに伴って、例えば単位期間において蓄電池１０３を交換する回数も、本実施形態では、図２に示した蓄電池１０３の使用による場合に対してほぼ１／２となり、例えば電力管理システムのランニングコストを効果的に削減することができる。
【００６６】
図８のフローチャートは、太陽電池用の蓄電池１０３と深夜電力用の蓄電池１０３の選定のために本実施形態の電力管理装置２００が実行する処理手順例を示している。
電力管理装置２００において、例えば総発電電力予測部２０１は、太陽電池用と深夜電力用の蓄電池１０３を選定するための選定時刻が到達するのを待機している(ステップＳ１０１−ＮＯ)。
なお、選定時刻は、例えば深夜時間帯の開始時刻に対して一定時間前の時刻を設定すればよい。
【００６７】
選定時刻に到達したのに応じて(ステップＳ１０１−ＹＥＳ)、総発電電力予測部２０１は、電力管理地域１において備えられる太陽電池１０１の制御対象期間における総発電電力を予測する(ステップＳ１０２)。
次に、総需要電力予測部２０３は、制御対象期間における総需要電力を予測する(ステップＳ１０３)。このように予測される総需要電力は、電力管理地域１における負荷１０６の全体が制御対象期間内に使用するものとして予測される電力である。
【００６８】
次に、総余剰電力算出部２０５は、総発電電力予測部２０１により予測された総発電電力と総需要電力予測部２０３により予測された総需要電力とに基づいて、総発電電力の余剰分である総余剰電力を算出する(ステップＳ１０４)。例えば、前述もしたように、総余剰電力算出部２０５は、総発電電力から総需要電力を減算することにより総余剰電力を算出することができる。
【００６９】
次に、総蓄電可能容量算出部２０６は、総蓄電可能容量を算出する(ステップＳ１０５)。この際、総蓄電可能容量算出部２０６は、前述もしたように、通信部２１１を経由した需要家施設１０の施設別制御部１０７との通信により、電力管理地域１において備えられる複数の蓄電池１０３の各々から蓄電可能容量を取得する。そして、総蓄電可能容量算出部２０６は、取得した蓄電可能容量を加算して総蓄電可能容量を算出する。
【００７０】
続くステップＳ１０６〜Ｓ１０８は、蓄電池選定部２０７が深夜電力用の蓄電池１０３と太陽電池用の蓄電池１０３を選定するために実行する処理手順の一例である。
このために、蓄電池選定部２０７は、深夜電力蓄電量を算出する(ステップＳ１０６)。
次に、蓄電池選定部２０７は、ステップＳ１０６により算出した深夜電力蓄電量と蓄電池パラメータとに基づいて深夜電力用の蓄電池１０３を選定する(ステップＳ１０７)。
前述のように蓄電池パラメータが蓄電池１０３の蓄電可能容量である場合、蓄電池選定部２０７は、ステップＳ１０７として、蓄電可能容量の多い蓄電池１０３から順に選定を行う。そして、蓄電池選定部２０７は、選定した蓄電池１０３による蓄電可能容量の総量が深夜電力蓄電量以上となった段階で選定を終了する。
【００７１】
次に、蓄電池選定部２０７は、ステップＳ１０４により予測された総余剰電力と蓄電池パラメータとに基づいて、深夜電力用として選定されたもの以外の蓄電池１０３のうちから太陽電池用の蓄電池１０３を選定する(ステップＳ１０８)。
前述のように蓄電池パラメータが蓄電池１０３の蓄電可能容量である場合、蓄電池選定部２０７は、ステップＳ１０８として、深夜電力用として選定されたもの以外の蓄電池１０３のうちから、例えば蓄電可能容量の多い順に選定を行う。そして、蓄電池選定部２０７は、選定した蓄電池１０３の蓄電可能容量の総量が総余剰電力以上となった段階で選定を終了する。
【００７２】
図９のフローチャートは、蓄電池制御部２１０が、図８のステップＳ１０７により選定された深夜電力用の蓄電池１０３の充放電動作を制御するための処理手順例である。
蓄電池制御部２１０は、現在時刻が深夜時間帯に含まれているか否かについて判定する(ステップＳ２０１)。現在時刻が深夜時間帯に含まれている場合(ステップＳ２０１−ＹＥＳ)、蓄電池制御部２１０は、深夜電力用の蓄電池１０３に対して商用電源２の電力が充電されるように制御を実行する(ステップＳ２０２)。
【００７３】
また、現在時刻が深夜時間帯に含まれていない場合(ステップＳ２０１−ＮＯ)、蓄電池制御部２１０は、さらに、現在時刻が朝時間帯に含まれているか否かについて判定する(ステップＳ２０３)。
現在時刻が朝時間帯に含まれている場合(ステップＳ２０３−ＹＥＳ)、蓄電池制御部２１０は、深夜電力用の蓄電池１０３に蓄積されている電力を放電させ、この放電された電力を電力管理地域１における負荷１０６に供給するための制御を実行する(ステップＳ２０４)。
現在時刻が朝時間帯に含まれていない場合(ステップＳ２０３−ＮＯ)、現在の時刻は、昼時間帯または夜時間帯に含まれる。この場合、蓄電池制御部２１０は、深夜電力用として選定された蓄電池１０３の充放電動作を停止させるように制御する(ステップＳ２０５)。
【００７４】
図１０のフローチャートは、蓄電池制御部２１０が、図８のステップＳ１０８により選定された太陽電池用の蓄電池１０３の充放電動作を制御するための処理手順例である。
蓄電池制御部２１０は、現在時刻が昼時間帯に含まれているか否かについて判定する(ステップＳ３０１)。現在時刻が昼時間帯に含まれている場合(ステップＳ３０１−ＹＥＳ)、蓄電池制御部２１０は、太陽電池用の蓄電池１０３に対して、電力管理地域１における太陽電池１０１の発電電力が充電されるように制御を実行する(ステップＳ３０２)。
【００７５】
また、現在時刻が昼時間帯に含まれていない場合(ステップＳ３０１−ＮＯ)、蓄電池制御部２１０は、さらに、現在時刻が夜時間帯に含まれているか否かについて判定する(ステップＳ３０３)。
現在時刻が夜時間帯に含まれている場合(ステップＳ３０３−ＹＥＳ)、蓄電池制御部２１０は、太陽電池用の蓄電池１０３に蓄積されている電力を放電させ、この放電された電力を電力管理地域１における負荷１０６に供給するための制御を実行する(ステップＳ３０４)。
現在時刻が夜時間帯に含まれていない場合(ステップＳ３０３−ＮＯ)、現在の時刻は、深夜時間帯または朝時間帯に含まれる。この場合、蓄電池制御部２１０は、太陽電池用として選定された蓄電池１０３の充放電動作を停止させるように制御する(ステップＳ３０５)。
【００７６】
［変形例］
本実施形態において、蓄電池選定部２０７が、深夜電力用の蓄電池１０３と太陽電池用の蓄電池１０３を選定するにあたって利用する蓄電池パラメータには、前述の蓄電池１０３の蓄電可能容量以外の情報を適用できる。
そこで、以下において、本実施形態の変形例として、蓄電池パラメータとして利用可能な情報種別の例と、蓄電池パラメータとしての情報種別ごとの蓄電池１０３の選定例とについて説明する。
【００７７】
第１の変形例は、蓄電池パラメータとして蓄電池１０３の充電率を利用する例である。
充電率とは、例えば、蓄電池１０３において蓄積されている電力の残量を満充電のときの蓄電量との比率により示すものである。この充電率は、例えばＳＯＣ（State Of Charge）ともいう。
充電率を蓄電池パラメータとする場合、蓄電池選定部２０７は、例えば、充電率の低い蓄電池１０３から順に深夜電力用と太陽電池用の蓄電池１０３を選定することができる。
例えば、充電率が低い状態は、蓄電池１０３の劣化を促進させる要因の１つである。充電率の低い順に蓄電池１０３を選定することで、蓄電池１０３を充電率が低い状態から回復させることができるために、充電率の低い状態に起因する蓄電池１０３の劣化の進行を緩和させることができる。
【００７８】
また、第２の変形例は、蓄電池パラメータとして、蓄電池１０３のＳＯＬ（State Of Life）を利用する例である。
ＳＯＬは、蓄電池１０３の寿命に対する現在の余寿命を示す指標（余寿命情報）であり、例えば、蓄電池１０３が寿命となるまでに蓄電池１０３を流入出する総電荷量と、現在までにおいて蓄電池１０３に流入出した電荷量とに基づいて求めることができる。
ＳＯＬを蓄電池パラメータとする場合、蓄電池選定部２０７は、例えば、ＳＯＬの値の大きい蓄電池１０３、つまり、余寿命の長い蓄電池１０３から順に深夜電力用と太陽電池用の蓄電池１０３を選定することができる。余寿命が長い蓄電池１０３ほど、劣化の進行も少なく、蓄電池１０３としての性能(例えば充放電効率など)は高い。そこで、ＳＯＬの値の大きい蓄電池１０３から順に蓄電池１０３を選定すれば、電力管理地域１における蓄電池１０３のうちから性能の高い蓄電池１０３を選定することができる。
【００７９】
また、第３の変形例は、蓄電池パラメータとして蓄電池１０３のＳＯＨ（State Of Health）を利用する例である。
ＳＯＨは、蓄電池１０３の健全性を示す指標である。例えば、蓄電池１０３は充放電を繰り返すことにより劣化していくが、蓄電池１０３については、必要とされる性能を維持できる許容充放電回数が例えば予めの試験などにより求められている。ＳＯＨは、許容充放電回数に対する、現在において許容充放電回数に至るまでの残りの充放電回数（残存充放電回数）の比率として求めることができる。この場合、ＳＯＨの値が大きいほど残存充放電回数も多くなり、蓄電池１０３は健全であることを示す。逆に、ＳＯＨの値が小さいほど蓄電池１０３は劣化が進行して健全性が低くなっていくことを示す。この点で、ＳＯＨは、蓄電池１０３の劣化の進行を示す指標（劣化進行情報）の１つである。
ＳＯＨを蓄電池パラメータとする場合、蓄電池選定部２０７は、例えば、ＳＯＨの値の大きい蓄電池１０３、つまり、健全性が高く、劣化が進行していない蓄電池１０３から順に深夜電力用と太陽電池用の蓄電池１０３を選定することができる。これにより、電力管理地域１における蓄電池１０３のうちから、より健全で性能の高い蓄電池１０３を選定することができる。
【００８０】
また、第４の変形例は、蓄電池パラメータとして蓄電池１０３の容量劣化率を利用する例である。
容量劣化率は、蓄電池１０３の劣化の進行を示す指標（劣化進行情報）の１つであり、例えば、初期の満充電時の蓄電容量に対する現在の満充電時の蓄電容量の低減率として求められる。
容量劣化率を蓄電池パラメータとする場合、蓄電池選定部２０７は、例えば、容量劣化率の値の小さい蓄電池１０３、つまり、劣化が進行していない蓄電池１０３から順に深夜電力用と太陽電池用の蓄電池１０３を選定することができる。これにより、電力管理地域１における蓄電池１０３のうちから劣化の度合いが少なく性能の高い蓄電池１０３を選定することができる。
【００８１】
なお、例えばメンテナンス上の理由などで、ある程度劣化が進行してしまっている蓄電池１０３については早めに交換させたいという方針を採るような場合には、例えばＳＯＬ、ＳＯＨ、容量劣化率などが示す劣化の進行度合いの大きい蓄電池１０３から順に深夜電力用と太陽電池用の蓄電池１０３を選定してもよい。これにより、蓄電池１０３の寿命を早めて、蓄電池１０３の交換時期についても早くすることができる。
【００８２】
また、例えばこれまでに蓄電池パラメータとして挙げた蓄電可能容量、ＳＯＣ、ＳＯＬ、ＳＯＨ、容量劣化率などのうちの２以上を利用して蓄電池１０３を選定してもよい。
一例として、蓄電可能容量とＳＯＬを組み合わせた場合には、次のように蓄電池１０３を選定できる。つまり、蓄電池選定部２０７は、基本的には、蓄電可能容量の大きい順で蓄電池１０３を選定する。そのうえで、蓄電池選定部２０７は、例えば同等の蓄電可能容量を有する複数の蓄電池１０３が選定候補となったときに、ＳＯＬが最も大きい蓄電池１０３を選定するというものである。
また、例えば、深夜電力用の蓄電池１０３を選定するにあたり、深夜における充電によっては充電率の変化が大きい傾向にあるという考え方を採ることができる。この場合、深夜電力用の蓄電池１０３については、できるだけ劣化が進行しておらず、かつ、できるだけ多くの電力を蓄積することのできる蓄電池１０３を選定することが好ましい。そこで、蓄電池選定部２０７は、深夜電力用の蓄電池１０３については、容量劣化率が小さく、かつ、蓄電可能容量が大きい（蓄電率（ＳＯＣ）が小さい）蓄電池から深夜電力用の蓄電池１０３を選定するようにしてもよい。
【００８３】
また、本実施形態における制御対象期間としては、例えば深夜時間帯から始まる１日(２４時間)としているが、例えば、半日、２日などをはじめ、１日以外の期間であってもよい。
【００８４】
また、図３における各機能部の機能を実現するためのプログラムをコンピュータ読み取り可能な記録媒体に記録して、この記録媒体に記録されたプログラムをコンピュータシステムに読み込ませ、実行することにより蓄電池の選定と制御を行ってもよい。なお、ここでいう「コンピュータシステム」とは、ＯＳや周辺機器等のハードウェアを含むものとする。
【００８５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００８６】
以上、この発明の実施形態について図面を参照して詳述してきたが、具体的な構成はこの実施形態に限られるものではなく、この発明の要旨を逸脱しない範囲の設計等も含まれる。
【符号の説明】
【００８７】
１  電力管理地域
２  商用電源
１０  需要家施設
１０１  太陽電池
１０２  パワーコンディショナ
１０３  蓄電池
１０４  インバータ
１０５  電力経路切替部
１０６  負荷
１０７  施設別制御部
２００  電力管理装置
２０１  総発電電力予測部
２０２  総発電電力予測利用情報記憶部
２０３  総需要電力予測部
２０４  総需要電力予測利用情報記憶部
２０５  総余剰電力算出部
２０６  総蓄電可能容量算出部
２０７  蓄電池選定部
２０８  蓄電池パラメータ記憶部
２０９  蓄電池パラメータ取得部
２１０  蓄電池制御部
２１１  通信部
【図１】
2014064449.tif 000003
【図２】
2014064449.tif 000004
【図３】
2014064449.tif 000005
【図４】
2014064449.tif 000006
【図５】
2014064449.tif 000007
【図６】
2014064449.tif 000008
【図７】
2014064449.tif 000009
【図８】
2014064449.tif 000010
【図９】
2014064449.tif 000011
【図１０】
2014064449.tif 000012